(57)【要約】【課題】指示ランプが夜又は暗い環境下での明るさがユーザに迷惑をかけることを防止できる自動光調節装置及びソケットを提供すること。【解決手段】本発明に係るソケットは、ハウジングと、外部装置と接続するためのポートが設けられたジャックパネルと、ソケットの作業状態を示すための指示ランプと、環境光の明るさを感知するための感光素子と、前記指示ランプと前記感光素子とに同時に電気的に接続された光制御モジュールが設けられた回路基板と、を備え、前記光制御モジュールは、前記感光素子により感知された環境光の明るさの変化に基づいて、前記指示ランプの輝度を同期に変化させ、前記ジャックパネル、前記感光素子、前記指示ランプ及び前記回路基板は、それぞれ前記ハウジング内に設けられる。【選択図】図６
2018116923.tif 000002
【特許請求の範囲】
【請求項１】
自動光調節装置の作業状態を示すための指示ランプと、
環境光の明るさを感知するための感光素子と、
前記指示ランプと前記感光素子とに同時に電気的に接続され、且つ前記感光素子により感知された環境光の明るさの変化に基づいて、前記指示ランプの輝度を同期に変化させるように制御する光制御モジュールと、を備えることを特徴とする自動光調節装置。
【請求項２】
前記光制御モジュールは、中央処理装置と、前記中央処理装置及び前記指示ランプに電気的に接続された表示回路と、前記中央処理装置及び前記感光素子に電気的に接続された第一検出回路と、を含み、
前記第一検出回路は、前記感光素子により感知された環境光の明るさを測定して、それを電気信号に変換し、且つこの電気信号を前記中央処理装置に伝送し、前記中央処理装置は、前記電気信号を処理し、且つ処理した後の電気信号を前記表示回路まで伝送し、前記表示回路は、処理された後の電気信号に基づいて前記指示ランプを制御して、前記指示ランプの輝度を環境光の強弱変化に伴って同期に変化させることを特徴とする請求項１に記載の自動光調節装置。
【請求項３】
前記自動光調節装置は、第二検出回路及び少なくとも１つのポートを含み、前記第二検出回路は、前記ポートの負荷を検出することに用いられることを特徴とする請求項２に記載の自動光調節装置。
【請求項４】
前記自動光調節装置は、保護回路をさらに含み、前記第二検出回路が前記ポートの負荷が予定負荷より大きいことを検出すると、前記保護回路は、前記ポートを遮断することを特徴とする請求項３に記載の自動光調節装置。
【請求項５】
前記自動光調節装置は、少なくとも１つの負荷に充電することに用いられ、前記自動光調節装置は、第三検出回路をさらに含み、
前記自動光調節装置に接続された負荷が充電完了である時に、前記光制御モジュールは、前記指示ランプを制御してその発光色を変えることを特徴とする請求項２に記載の自動光調節装置。
【請求項６】
前記自動光調節装置は、少なくとも１つの負荷に充電することに用いられ、前記自動光調節装置は、それぞれ前記光制御モジュールに電気的に接続される第四検出回路及びスピーカーを含み、
前記第四検出回路が前記自動光調節装置に接続された負荷が充電完了であることを検出すると、前記光制御モジュールは、前記スピーカーを制御して提示音を出させることを特徴とする請求項２に記載の自動光調節装置。
【請求項７】
ハウジングと、
外部装置と接続するためのポートが設けられたジャックパネルと、
ソケットの作業状態を示すための指示ランプと、
環境光の明るさを感知するための感光素子と、
前記指示ランプと前記感光素子とに同時に電気的に接続された光制御モジュールが設けられた回路基板と、を備え、
前記光制御モジュールは、前記感光素子により感知された環境光の明るさの変化に基づいて、前記指示ランプの輝度を同期に変化させ、
前記ジャックパネル、前記感光素子、前記指示ランプ及び前記回路基板は、それぞれ前記ハウジング内に設けられることを特徴とするソケット。
【請求項８】
前記ハウジングは、台座、フレーム及びトップカバーを備え、前記台座は、前記フレームに固定連接され、前記トップカバーは、前記フレームに固定連接され、前記フレームは、前記トップカバーと前記台座との間に設けられ、
前記ジャックパネルは、少なくとも２つがあり、且つ互いに間隔をあけて前記フレームの外面に装着されることを特徴とする請求項７に記載のソケット。
【請求項９】
少なくとも２つの前記ジャックパネルの中の少なくとも１つには、前記感光素子又は／及び前記指示ランプが設けられることを特徴とする請求項８に記載のソケット。
【請求項１０】
前記ジャックパネルは、第一ジャックが設けられた第一ジャックパネル及び第二ジャックが設けられた第二ジャックパネルを含み、前記フレームには、前記第一ジャックパネルを装着するための開口が設けられ、前記第一ジャックパネルは、前記開口の端部から前記開口内に挿入され、
また、前記フレームには、前記第二ジャックを収容するための貫通孔が設けられ、前記第二ジャックは、前記フレームの内部から前記貫通孔内に装着されることを特徴とする請求項８に記載のソケット。
【請求項１１】
前記台座は、互いに固定連接されている第一ベース及び第二ベースを含み、前記第二ベースは、前記第一ベースの底部に固定され、前記回路基板は、前記第一ベース内に位置することを特徴とする請求項８に記載のソケット。
【請求項１２】
前記光制御モジュールは、中央処理装置と、前記中央処理装置及び前記指示ランプに電気的に接続された表示回路と、前記中央処理装置及び前記感光素子に電気的に接続された第一検出回路と、を含み、
前記第一検出回路は、前記感光素子により感知された環境光の明るさを測定して、それを電気信号に変換し、且つこの電気信号を前記中央処理装置に伝送し、前記中央処理装置は、前記電気信号を処理し、且つ処理した後の電気信号を前記表示回路まで伝送し、前記表示回路は、処理された後の電気信号に基づいて前記指示ランプを制御して、前記指示ランプの輝度を環境光の強弱変化に伴って同期に変化させることを特徴とする請求項７に記載のソケット。
【請求項１３】
前記ソケットは、前記回路基板に設けられた第二検出回路及びポートを含み、前記第二検出回路は、前記ポートの負荷を検出することに用いられることを特徴とする請求項１２に記載のソケット。
【請求項１４】
前記ソケットは、前記回路基板に設けられた保護回路を含み、前記第二検出回路が前記ポートの負荷が予定負荷より大きいことを検出すると、前記保護回路は、前記ポートを遮断することを特徴とする請求項１２に記載のソケット。
【請求項１５】
前記ソケットは、少なくとも１つの負荷に充電することに用いられ、前記ソケットは、前記回路基板に設けられた第三検出回路を含み、前記第三検出回路は、前記光制御モジュールに電気的に接続され、
前記第三検出回路が前記ソケットに接続された負荷が充電完了であることを検出すると、前記光制御モジュールは、前記指示ランプを制御してその発光色を変えることを特徴とする請求項１２に記載のソケット。
【請求項１６】
前記ソケットは、少なくとも１つの負荷に充電することに用いられ、前記ソケットは、前記回路基板に設けられた第四検出回路及びスピーカーを含み、前記第四検出回路及び前記スピーカーは、それぞれ前記光制御モジュールに電気的に接続され、
前記第四検出回路が前記ソケットに接続された負荷が充電完了であることを検出すると、前記光制御モジュールは、前記スピーカーを制御して提示音を出させることを特徴とする請求項１２に記載のソケット。
【発明の詳細な説明】
【技術分野】
【０００１】
本発明は、家庭用電気製品に関し、具体的に自動光調節装置及びソケットに関するものである。
【背景技術】
【０００２】
技術の発展に伴って、ソケットは、日常生活で欠くことのできない電気器具になる。ソケットは、一端が市電に電気的に接続され、他端がテレビ、扇風機、携帯電話の充電器などの電器に電気的に接続される。安全のために、上記のような電器を使用しない時に、人々は通常電器のプラグとソケットとを分離し、使用する時に、電器のプラグを再びソケットに挿入して、電器に通電する。電器とソケットとの電気的な接続を実現する過程において、昼間の時又は照明がある場合、ユーザは電器のプラグを容易にソケットに挿入して接続することができる。しかし、夜又は暗い環境で、ユーザは電器をソケットに挿入して接続することが難しい。従って、登録番号がＣＮ２０１９０４５２０Ｕであり、公告日が２０１１年７月２０日である中国実用新案には、一種の指示ランプを付けたソケットが開示されている。このようなソケットによって、ユーザは、暗い環境で、電器のプラグをソケットに挿入接続することが便利になる。
【０００３】
暗い環境の中でソケットの周りを照らすために、指示ランプの輝度は比較的に明るい。しかも、前記指示ランプの輝度は、変わらない。そこで、このようなソケットにおける指示ランプの夜又は暗い環境での明るさは、ユーザの休みに迷惑をかける問題がある。
【先行技術文献】
【特許文献】
【０００４】
中国実用新案登録番号ＣＮ２０１９０４５２０Ｕ（公告日２０１１年７月２０日）
【発明の概要】
【発明が解決しようとする課題】
【０００５】
本発明は、指示ランプが夜又は暗い環境下での明るさがユーザに迷惑をかけることを防止できる自動光調節装置及びソケットを提供することを目的とする。
【課題を解決するための手段】
【０００６】
上記の目的を達成するために、本発明に係る自動光調節装置は、自動光調節装置の作業状態を示すための指示ランプと、環境光の明るさを感知するための感光素子と、前記指示ランプと前記感光素子とに同時に電気的に接続され、且つ前記感光素子により感知された環境光の明るさの変化に基づいて、前記指示ランプの輝度を同期に変化させるように制御する光制御モジュールと、を備える。
【０００７】
また、前記光制御モジュールは、中央処理装置と、前記中央処理装置及び前記指示ランプに電気的に接続された表示回路と、前記中央処理装置及び前記感光素子に電気的に接続された第一検出回路と、を含み、前記第一検出回路は、前記感光素子により感知された環境光の明るさを測定して、それを電気信号に変換し、且つこの電気信号を前記中央処理装置に伝送し、前記中央処理装置は、前記電気信号を処理し、且つ処理した後の電気信号を前記表示回路まで伝送し、前記表示回路は、処理された後の電気信号に基づいて前記指示ランプを制御して、前記指示ランプの輝度を環境光の強弱変化に伴って同期に変化させる。
【０００８】
また、前記自動光調節装置は、第二検出回路及び少なくとも１つのポートを含み、前記第二検出回路は、前記ポートの負荷を検出することに用いられる。
【０００９】
また、前記自動光調節装置は、保護回路をさらに含み、前記第二検出回路が前記ポートの負荷が予定負荷より大きいことを検出すると、前記保護回路は、前記ポートを遮断する。
【００１０】
また、前記自動光調節装置は、少なくとも１つの負荷に充電することに用いられ、前記自動光調節装置は、第三検出回路をさらに含み、前記自動光調節装置に接続された負荷が充電完了である時に、前記光制御モジュールは、前記指示ランプを制御してその発光色を変える。
【００１１】
また、前記自動光調節装置は、少なくとも１つの負荷に充電することに用いられ、前記自動光調節装置は、それぞれ前記光制御モジュールに電気的に接続される第四検出回路及びスピーカーを含み、前記第四検出回路が前記自動光調節装置に接続された負荷が充電完了であることを検出すると、前記光制御モジュールは、前記スピーカーを制御して提示音を出させる。
【００１２】
もう一方では、本発明に係るソケットは、ハウジングと、外部装置と接続するためのポートが設けられたジャックパネルと、ソケットの作業状態を示すための指示ランプと、環境光の明るさを感知するための感光素子と、前記指示ランプと前記感光素子とに同時に電気的に接続された光制御モジュールが設けられた回路基板と、を備え、
前記光制御モジュールは、前記感光素子により感知された環境光の明るさの変化に基づいて、前記指示ランプの輝度を同期に変化させ、
前記ジャックパネル、前記感光素子、前記指示ランプ及び前記回路基板は、それぞれ前記ハウジング内に設けられる。
【発明の効果】
【００１３】
従来の技術に比べて、本発明に係るソケットの指示ランプは、回路基板での光制御モジュールに電気的に接続される。また、光制御モジュールは、感光素子に電気的に接続される。感光素子は、感知した環境光の明るさを光制御モジュールにフィードバックする。光制御モジュールは、環境光の明るさの変化に基づいて、指示ランプの輝度を調節する。具体的には、光制御モジュールは、環境光の明るさの変化に基づいて、指示ランプを制御して発光させ、指示ランプの輝度を同期に変化させる。より詳細には、感光素子が感知した環境光は明から暗になる時に、光制御モジュールは、感光素子から環境光が明から暗になったという信号を受信して、指示ランプの輝度を暗くさせる。例えば、昼間から夜に移った後、環境光の明るさは明から暗に変化する。昼間環境において、指示ランプのオン／オフを観察するために、光制御モジュールは、感光素子が感知した環境光の明るさに基づいて、指示ランプを高輝度状態にさせる。昼間から夜へ変化する過程において、環境光の明るさは、次第に明から暗になる。すると、感光素子は、環境光の明るさの変化信号を光制御モジュールにフィードバックし、光制御モジュールは指示ランプの輝度を次第に明から暗に調節する。これにより、指示ランプの発光輝度は、環境光の明るさと同期して変化する。このようにして、夜の暗い環境下で、ソケットの指示ランプは、微かな光を放出して、周りの環境に強い光を照射しなく、ユーザの休みに迷惑を掛けない。また、ユーザは、暗い環境下でソケットを使用する必要があれば、指示ランプが発した微弱な光を介して、電器のプラグをソケットに接続して、ソケットを正常的に操作することができる。
【００１４】
他方、感光素子が感知した環境光の明るさが暗から明になる時に、光制御モジュールは、感光素子から環境光の明るさが暗から明になったという信号を受信して、指示ランプを制御して、その輝度を高くさせる。これにより、ユーザは、昼間環境で指示ランプの発光状態を観察して、ソケットの通電状態を了解することが容易になる。
さらに、環境光が暗くなる場合、指示ランプの発光輝度もそれに伴って暗くなるので、指示ランプの負荷は小さくなり、電気エネルギーを節約することができる。
【図面の簡単な説明】
【００１５】
【図１】本発明の第一実施形態に係るソケットの作業原理を示すブロック図である。
【図２】本発明のソケットの保護回路を示すブロック図である。
【図３】本発明の第二実施形態に係るソケットの第一種作業原理を示すブロック図である。
【図４】本発明の第二実施形態に係るソケットの第二種作業原理を示すブロック図である。
【図５】本発明の第一実施形態に係るソケットの組立図である。
【図６】本発明の第一実施形態に係るソケットの分解図である。
【図７】本発明の第二実施形態に係るソケットの組立図である。
【図８】本発明の第二実施形態に係るソケットの分解図である。
【図９】本発明の第二実施形態に係るソケットを別の視点から見た分解図である。
【発明を実施するための形態】
【００１６】
本発明の添付図面は、実施例を例示することに用いられ、実施例をよく理解することを補助し、明細書の一部を構成して、明細書に記載した内容と共に本発明の技術提案を釈明する。また、添付図面は、本発明の一部の実施例のみを例示している。本技術分野の当業者にとって、創造的な労働を払わない前提下で、これらの図面に基づいて他の図面を得ることができるのは明らかである。
【００１７】
ここで記載した具体的な構造及び機能は、ただ代表的なものであり、本発明の例示的な実施例を説明するために用いられる。しかし、本発明は、多くの置換例で実現することができ、以下の実施例により限定されるものはない。
【００１８】
図１〜３及び図５〜図６に示すように、本発明の第一実施形態に係るソケット１００は、ハウジング１０と、ハウジング１０内に設けられたジャックパネル２０と、ジャックパネル２０に設けられた指示ランプ３０と、ハウジング１０内に設けられた感光素子４０と、ハウジング１０内に設けられた回路基板５０と、を備える。ジャックパネル２０には、外部装置と接続するためのポート２２が設けられる。指示ランプ３０は、ソケット１００の作業状態を示すことに用いられる。感光素子４０は、環境光の明るさを感知することに用いられる。回路基板５０には、指示ランプ３０と感光素子４０に同時に電気的に接続する光制御モジュール５１が設けられている。感光素子４０は、環境光の明るさの変化を検知して、光制御モジュール５１に送信して通知する。光制御モジュール５１は、環境光の明るさの変化に基づいて、指示ランプ３０を制御して、その発光輝度を同期に変化させる。
【００１９】
本実施形態において、感光素子４０は、環境光の明るさの変化を示す信号を光制御モジュール５１にフィードバックする。光制御モジュール５１は、環境光の明るさの変化に基づいて、指示ランプ３０の輝度を調節する。即ち、環境光が明から暗になる場合、感光素子４０は、それを感知して、光制御モジュール５１に送信する。すると、光制御モジュール５１は、指示ランプ３０を制御して、その輝度を暗くさせる。
【００２０】
以下、具体的な例を挙げて、詳細に説明する。昼間環境において、ユーザが指示ランプ３０の発光状態を観察できるために、光制御モジュール５１は、感光素子４０により感知された環境光の明るさに基づいて、指示ランプ３０を高輝度状態にさせる。昼間から夜に移ると、環境光は明から暗になるように変化する。昼間から夜へ移る過程において、環境光は次第に明から暗になるように変化する。この場合、感光素子４０は、それが感知した環境光の明るさの変化を光制御モジュール５１にフィードバックする。光制御モジュール５１は、環境光が明から暗に変化することに基づいて、指示ランプ３０を制御してその輝度を明から暗にさせる。これにより、指示ランプ３０の輝度は、環境光の明るさと同期して変化し、夜の暗い環境下で、指示ランプ３０は、弱い光を放出して、周りの環境を照らすことがなく、ユーザの休みに影響を与えない。ユーザがこの暗い環境下でソケット１００を使用する必要があれば、指示ランプ３０が放出した弱い光でソケット１００を正常的に操作することができる。
【００２１】
また、環境光の明るさが暗から明になる場合、感光素子４０は環境光の変化を感知して、光制御モジュール５１に送信する。光制御モジュール５１は、環境光の明るさが暗から明になることを示す信号に基づいて、指示ランプ３０の輝度を高くさせる。これにより、ユーザは、昼間環境で指示ランプ３０の発光状態を観察することによって、ソケット１００の通電状態を知ることができる。
【００２２】
また、環境光が暗くなった場合、指示ランプ３０の輝度も環境光に伴って暗くなるので、指示ランプ３０の負荷は小さくなり、電気エネルギーを節約することができる。
【００２３】
その中、光制御モジュール５１が指示ランプ３０の発光輝度を制御する過程において、指示ランプ３０の発光輝度を昼間モード及び夜モードという２種類の方式に設定することができる。感光素子４０が感知した環境光の明るさは第一予定値より大きい場合、それを昼間モードと定義し、即ち環境光の明るさはより高い。すると、光制御モジュール５１は、指示ランプ３０の発光モードを昼間モードにさせる。この場合、指示ランプ３０の輝度は、より高い。また、感光素子４０が感知した環境光の明るさは第二予定値より小さい場合、それを夜モードと定義し、即ち環境光の明るさはより低い。すると、光制御モジュール５１は、指示ランプ３０の発光モードを夜モードにさせる。この場合、指示ランプ３０の輝度は、より低い。
【００２４】
好ましくは、光制御モジュール５１は、指示ランプ３０の発光輝度を制御する過程において、環境光の明るさの変化に伴って、指示ランプ３０の輝度を同期且つ同程度で変化させる。具体的には、感光素子４０は、環境光の明るさの変化を感知する。光制御モジュール５１は、感光素子４０がフィードバックしてきた信号に基づいて、指示ランプ３０を制御して、その輝度を同期且つ同程度で変化させる。同期変化とは、具体的に環境光が明るくなる時に、光制御モジュール５１は指示ランプ３０の輝度を高く調節し、環境光が暗くなる時に、光制御モジュール５１は指示ランプ３０の輝度を低く調節することを指す。同程度変化とは、具体的に光制御モジュール５１は、環境光の明るさの変化程度に基づいて、指示ランプ３０を同じ程度で変化させるように制御することを指す。
【００２５】
例えば、環境光の明るさは、昼間の光線強度がより大きい状態から夕方の光線強度が少し暗くなる状態へと変化し、さらに夜の真っ暗状態へと変化する過程において、光制御モジュール５１は、指示ランプ３０の輝度を高い状態からより低い状態へと調節し、さらに輝度がもっと低い薄暗い状態へと調節する。言い換えれば、環境光の明るさが次第に変化する時に、光制御モジュール５１は指示ランプ３０の発光輝度を制御して次第に変化させる。より詳細には、環境光の明るさが次第に明るくなる場合、光制御モジュール５１は指示ランプ３０の輝度を次第に高く調節し、環境光の明るさが次第に暗くなる場合、光制御モジュール５１は指示ランプ３０の輝度を次第に低く調節する。
【００２６】
勿論、光制御モジュール５１の指示ランプ３０の輝度に対する制御は、上記の実施形態に限定されるものではない。例えば、指示ランプ３０の発光輝度をＮのレベルに設定する。そのうち、Ｎは、２より大きい又は２に等しい。光制御モジュール５１は、感光素子４０により感知された環境光の明るさに基づいて、指示ランプ３０の輝度をどのレベルにあるかを判断する。
【００２７】
また、本発明に係る光制御モジュール５１は、指示ランプ３０の輝度の変化を制御できるだけでなく、指示ランプ３０が放出した光の色も制御できる。例えば、環境光がより明るい場合、光制御モジュール５１は指示ランプ３０に赤光を放出させるように制御する。環境光がより暗い場合、光制御モジュール５１は指示ランプ３０に青色を放出させるように制御する。
【００２８】
上記の記載において、指示ランプ３０が放出した赤光及び青光は、ただ一種の例を挙げて説明したものであり、指示ランプ３０が放出した光の色は、それらに限定されない。指示ランプ３０は、黄色光及び紫色光等を放出することもできる。
【００２９】
本発明の実施形態に係る光制御モジュール５１は、中央処理装置５２と、中央処理装置５２に電気的に接続された表示回路５３と、中央処理装置５２に電気的に接続された第一検出回路54と、を備える。表示回路５３は、指示ランプ３０に電気的に接続される。第一検出回路５４は、感光素子４０に電気的に接続されて、感光素子４０により感知された環境光の明るさを測定して、それを電気信号に変換し、且つこの電気信号を中央処理装置５２に伝送する。中央処理装置52は、前記電気信号を処理し、且つ処理した後の電気信号を表示回路５３まで伝送する。表示回路５３は、処理された後の電気信号に基づいて、指示ランプ３０を制御して、指示ランプ３０の輝度を環境光の強弱変化に伴って同期に変化させる。
【００３０】
本実施形態において、第一検出回路５４は、電気配線を介して感光素子４０及び中央処理装置５２に接続される。変更例として、第一検出回路５４は、感光素子４０及び中央処理装置５２とワイヤレスで接続してもよい。また、第一検出回路５４及び中央処理装置５２を回路基板５０に設置してもよい。
【００３１】
また、本実施形態において、表示回路５３は、電気配線を介して指示ランプ３０及び中央処理装置５２に接続される。変更例として、表示回路５３は、指示ランプ３０及び中央処理装置５２とワイヤレスで接続してもよい。
【００３２】
さらに、図1及び図２に示すように、回路基板５０は、第二検出回路５８及び保護回路５９を含む。第二検出回路５８は、ポート２２の負荷を検出することに用いられる。第二検出回路５８は、ポート２２の負荷が予定負荷より大きいことを検出すると、保護回路５９はポート２２を遮断する。それによって、第二検出回路５８及び保護回路５９は、ポート２２に対して保護作用を果たし、負荷が大きすぎることに起因する装置の焼失を防止する。
【００３３】
図１及び図３に示すように、本発明のもう１つの実施形態において、第二検出回路５８は、中央処理装置５２に接続されると共に、ポート２２に接続される。保護回路５９も中央処理装置５２に接続されると共に、ポート２２に接続される。第二検出回路５８は、ポート２２の負荷を検出するために用いられる。第二検出回路５８は、ポート２２の負荷が予定負荷より大きいことを検出すると、中央処理装置５２に電気信号を送信する。中央処理装置５２は、前記電気信号を処理した後に、それを保護回路５９に伝送する。すると、保護回路５９は、ポート２２を遮断する。これにより、第二検出回路５８及び保護回路５９は、ポート２２を保護して、負荷が大きすぎることによって引き起こされた装置の焼失を防止することができる。
【００３４】
また、本発明の実施形態に係る指示ランプ３０は、ＬＥＤライトを含むが、ＬＥＤライトに限定されるものではない。
【００３５】
また、本発明の実施形態に係る感光素子４０は、フォトレジスタ、フォトダイオード及びフォトトランジスタを含むが、これらに限定されるものではない。
【００３６】
また、光制御モジュール５１の指示ランプ３０に対する制御モードを実現するためのプラットフォームは、ソケット１００に限らず、この制御モードを他の家庭用電気製品又は装置に応用してもよい。例えば、光制御モジュール５１、感光素子４０及び指示ランプ３０を充電器、アダプター及びインバーターなどに設置してもよい。
【００３７】
以下、図５及び図６を参照しながら、本発明の実施形態にソケット１００の構造を具体的に説明する。ソケット１００のハウジング１０は、台座１２、フレーム１４及びトップカバー１６を備える。フレーム１４は、トップカバー１６と台座１２との間に設けられる。台座１２は、フレーム１４及びトップカバー１６を積載することに用いられる。
【００３８】
台座１２は、フレーム１４に固定連接されている。具体的には、本実施形態において、台座１２の一端は、ネジを介してフレーム１４の一端と連接される。ネジと言えば、その締め付け効果は良いし、着脱も便利である。勿論、本発明の実施形態は、これに限定されなく、例えば、係合の方式で台座１２とフレーム１４とを固定連接してもよい。
【００３９】
より詳細には、本実施形態において、台座１２は、互いに固定連接されている第一ベース１２２及び第二ベース１２４を含む。第二ベース１２４は、第一ベース１２２の底部に設置される。回路基板５０は、第二ベース１２４に設けられ、且つ第一ベース１２２内に位置する。第一ベース１２２と第二ベース１２４は、ネジを介して着脱可能に連接される。しかも、第二ベース１２４は、フレーム１４とネジを介して連接される。本実施形態において、第二ベース１２４、第一ベース１２２及びフレーム１４との三者は、同じネジで相手に固定して連接される。
【００４０】
勿論、上記の記載は、ただ本発明の一例にすぎなく、台座１２の具体的な構造及びそれとフレーム１４との連接方式も、上記の記載に限定されるものであない。例えば、台座１２は、１つのみがある。又は、第一ベース１２２及び第二ベース１２４は、係合の方式で連接されてもよい。ここで、一々例を挙げて説明することが省略する。
【００４１】
また、第二ベース１２４の底部の外面には、滑り止めパッドがさらに設けれている。滑り止めパッドは、複数があり、第二ベース１２４の底部の外面に均一に分布される。
【００４２】
また、トップカバー１６は、フレーム１４と互いに連接される。具体的には、トップカバー１６は、フレーム１４の他端と着脱可能に連接される。本実施形態において、トップカバー１６は、フレーム１４とネジを介して連接される。勿論、トップカバー１６とフレーム１４の連接方法は、これに限定されなく、係合方法を採用してもよい。
【００４３】
ジャックパネル２０は、少なくとも１つがある。本実施形態におけるジャックパネル２０の数は、１つ、２つ、三つ或いは複数であることができる。ジャックパネル２０の数が１つである場合、ジャックパネル２０に一種のポート２２を設けることができ、指示ランプ３０及び感光素子４０をジャックパネル２０に設けてもよく、他の位置に設けてもよく、且つジャックパネル２０をトップカバー１６に設けてもよく、フレーム１４に設けてもよい。
【００４４】
好ましくは、本実施形態におけるジャックパネル２０は、２つがある。２つのジャックパネル２０は、フレーム１４の外周面に間隔をあけて設けられ、指示ランプ３０及び感光素子４０は、その中の１つのジャックパネル２０に設けられている。
【００４５】
本実施形態において、検出、表示及び内部回路の設置を容易にするために、指示ランプ３０及び感光素子４０を同じジャックパネル２０に設けることが好ましい。
【００４６】
また、ジャックパネル２０は、第一ジャック２１０が設けられた第一ジャックパネル２１及び第二ジャック２３０が設けられた第二ジャックパネル２３を含む。本実施形態において、第一ジャック２１０は、２つのピンを有するプラグ又は三つのピンを有するプラグと互いに嵌合するように連接される。また、第一ジャック２１０は、ＵＳＢポートであることができる。同じように、第二ジャック２３０は、２つのピンを有するプラグ又は三つのピンを有するプラグと互いに嵌合するように連接される。また、第二ジャック２３０は、ＵＳＢポートであることができる。
【００４７】
好ましくは、第一ジャック２１０は、ＵＳＢポートである。第一ジャックパネル２１には、少なくとも１つの第一ジャック２１０が設けられる。本実施形態において、第一ジャックパネル２１には、三つの第一ジャック２１０が間隔をあけて設けられている。第一ジャックパネル２１の一端には、１つの指示ランプ３０及び１つの感光素子４０が設けられる。第一ジャックパネル２１がフレーム１４に固定された後、前記指示ランプ３０及び前記感光素子４０は、トップカバー１６に隣接して位置する。これにより、ユーザの使用は、便利になる。勿論、指示ランプ３０及び感光素子４０を第一ジャックパネル２１の中部、第一ジャックパネル２１の他端又は他の位置に設けてもよい。
【００４８】
本実施形態において、第一ジャックパネル２１は、２つがあり、フレーム１４の両側に対向するように設けられる。勿論、第一ジャックパネル２１の数は、１つ、三つ又は複数であることができる。第二ジャックパネル２３は、四つがあり、フレーム１４において互いに間隔をあけて設けられる。そのうち、２つの第二ジャックパネル２３は、第一ジャックパネル２１の一方側に設けられ、他の２つの第二ジャックパネル２３は、第一ジャックパネル２１の他方側に設けられる。相隣する２つの第二ジャックパネル２３の間で所定の角度を形成した。第一ジャックパネル２１と第二ジャックパネル２３との間も所定の角度を形成した。なお、第二ジャックパネル２３の数は、四つに限定されなく、１つ、２つ、三つ、五つ又は複数であることができる。第二ジャックパネル２３における第二ジャック２３０の数は、少なくとも１つである。好ましくは、第二ジャックパネル２３における第二ジャック２３０の数は、２つである。これにより、１つの第二ジャックパネル２３は、２つの装置と電気的に接続することができる。
【００４９】
また、フレーム１４には、第一ジャックパネル２１を装着するための開口１４２が設けられている。第一ジャックパネル２１は、開口１４２の端部から開口１４２内に挿入される。開口１４２の挿入端は、台座１２と相隣する。第一ジャックパネル２１が容易に開口１４２の中に挿入するために、台座１２には、第一ジャックパネル２１と協力する斜面１４６が設けられている。
【００５０】
また、フレーム１４には、第二ジャック２３０を収容するための貫通孔１４０が設けられている。第二ジャック２３０は、フレーム１４の内部から貫通孔１４０内に装着される。具体的には、１つの前記第二ジャックパネル２３における２つの第二ジャック２３０は、２つのエリアに分けられる。これに対応して、貫通孔１４０は、２つがある。１つの貫通孔１４０は、１つの第二ジャック２３０を収容する。つまり、同一第二ジャックパネル２３における２つの第二ジャック２３０は、間隔をあけて位置している。さらに、フレーム１４の外面の中央部には、凹溝１４４が形成去れている。凹溝１４４は、２つの貫通孔１４０の間に位置する。
【００５１】
さらに、ソケット１００は、第一層ジャックを制御するための第一スイッチ６０及び第二層ジャックを制御するための第二スイッチ７０を含む。第一スイッチ６０と第二スイッチ７０は、隣り合って設置去れ、且つ何れもフレーム１４に設けられる。より詳細には、第一スイッチ６０及び第二スイッチ７０は、フレーム１４の１つの縁に設けられ、且つ２つの第二ジャックパネル２３の連接箇所に位置する。勿論、第一スイッチ６０及び第二スイッチ７０の位置は、これに限定されるものではなく、両者を離れて設置してもよい。
【００５２】
本実施形態において、第一層ジャックとは、第一ジャックパネル２１及び第二ジャックパネル２３における凹溝１４４の上方に位置するジャックを指し、第二層ジャックとは、第一ジャックパネル２１及び第二ジャックパネル２３における凹溝１４４の下方に位置するジャックを指す。第一ジャックパネル２１での第一ジャック２１０及び第二ジャックパネル２３での第二ジャック２３０は、ジャックと総称される。
【００５３】
また、ソケット１００は、ハウジング１０内に設けられた放熱フィンをさらに含む。放熱フィンによって、ソケット１００の内部は速やかに冷却して、過熱によるソケット１００のダメージを防止し、ソケット１００の使用寿命を延ばすことができる。放熱効果を高めるために、放熱フィンにおいて複数の放熱孔を設けてもよい。
【００５４】
本実施形態において、ソケット１００のプラグは、電気配線を介して回路基板５０に電気的に接続され、且つ電気配線を介してハウジング１０に固定連接される。
【００５５】
以下、図１、図４及び図７〜図９を参照しながら、本発明の第二実施形態に係るソケット２００の構造を具体的に説明する。ソケット２００は、ソケット１００に類似する構造を有し、似ている機能を実現し、且つ似ている効果を達成する。しかし、ソケット２００とソケット１００は、以下の点で異なっている。プラグ２０９が電気配線を介して回路基板２０５に電気的に接続され、且つプラグ２０９が直接にハウジング２０１に固定される。さらに、ハウジング２０１には、プラグ２０９を収納するための凹所２０２が設けられている。プラグ２０９は、ハウジング２０１に回転可能に固定される。
【００５６】
より詳細には、プラグ２０９には、回転軸２０３が設けられている。ハウジング２０１の側壁には、回転軸２０３を装着するための軸孔２０４が設けられている。回転軸２０３の両端を軸孔２０４内で回転させることによって、プラグ２０９を回転して凹所２０２内に収納させる。勿論、プラグ２０９の回転を実現する方法は、これに限定されるものではない。例えば、プラグ２０９とハウジング２０１とを同時に通り抜ける回転軸を設けて、プラグ２０９をこの回転軸を中心に回転させてもよい。
【００５７】
また、ソケット２００には、回路基板２０５と電気的に接続された電池が内蔵されている。前記電池は、充電式電池である。本実施形態において、ソケット２００のポートは、ＵＳＢポート２０７を含む。ソケット２００には、充電式電池２０６が内蔵されている。ソケット２００がＵＳＢポート２０７を有するので、プラグ２０９が市電に接続されない時に、携帯電話、スピーカー及びＰＡＤ等のＵＳＢポートを有する装置は、ＵＳＢポート２０７を介して充電式電池２０６から電力を取得することができる。
【００５８】
本第二実施形態において、ソケット２００は、少なくとも１つの負荷に充電することに用いられる。ソケット２００は、光制御モジュール５１に電気的に接続された第三検出回路２５６を含む。第三検出回路２５６がソケット２００に接続された負荷が充電完了であることを検出すると、光制御モジュール５１は、指示ランプ３０を制御して、その発光色を変える。
【００５９】
また、変更例として、ソケット２００は、少なくとも１つの負荷に充電することに用いられる。ソケット２００は、それぞれ光制御モジュール５１に電気的に接続される第四検出回路２５７及びスピーカー２５８を含む。第四検出回路２５７がソケット２００に接続された負荷が充電完了であることを検出すると、光制御モジュール５１は、スピーカー２５８を制御して提示音を出させる。
【００６０】
以上、好適な具体例を挙げて本発明を説明してきたが、本発明は、上述の実施形態に限定されるものではなく、その要旨を逸脱しない範囲において、種々な変更又は取替えが可能であることは言うまでもない。この変更又は取替えに基づく様々な変形例も本発明の保護範囲に含まれることは明らかである。
【符号の説明】
【００６１】
１０    ハウジング
１２    台座
１４    フレーム
１６    トップカバー
２０    ジャックパネル
２１    第一ジャックパネル
２２    ポート
２３    第二ジャックパネル
３０    指示ランプ
４０    感光素子
５０    回路基板
５１    光制御モジュール
５２    中央処理装置
５３    表示回路
５４    第一検出回路
５８    第二検出回路
５９    保護回路
６０    第一スイッチ
７０    第二スイッチ
１００  ソケット
１２２  第一ベース
１２４  第二ベース
１４０  貫通孔
１４２  開口
１４４  凹溝
１４６  斜面
２００  ソケット
２０１  ハウジング
２０２  凹所
２０３  回転軸
２０４  軸孔
２０５  回路基板
２０６  充電式電池
２０７  ＵＳＢポート
２０９  プラグ
２１０  第一ジャック
２３０  第二ジャック
２５６  第三検出回路
２５７  第四検出回路
２５８  スピーカー
【図１】
2018116923.tif 000003
【図２】
2018116923.tif 000004
【図３】
2018116923.tif 000005
【図４】
2018116923.tif 000006
【図５】
2018116923.tif 000007
【図６】
2018116923.tif 000008
【図７】
2018116923.tif 000009
【図８】
2018116923.tif 000010
【図９】
2018116923.tif 000011